(57)【要約】【課題】本発明は、界磁制御コイルの界磁制御用電源を交流出力とは分離して得ることにより、ＰＷＭノイズの影響をなくすことを目的とする。【解決手段】本発明による発電制御方法は、回転数検出コイル（２０）を界磁制御用電源（２０ａ）と兼用とし、交流出力（３ａ）と界磁制御用電源（２０ａ）とを電気的に分離した状態で用いる方法である。【選択図】        図１
2004222424.tif 000002
【特許請求の範囲】
【請求項１】
界磁制御型の交流発電機（１）に設けられた界磁制御コイル（１１）及び回転数検出コイル（２０）を用いて前記交流発電機（１）の発電制御を行うようにした発電制御方法において、
前記回転数検出コイル（２０）を界磁制御用電源（２０ａ）と兼用とし、前記交流発電機（１）の交流出力（３ａ）と前記界磁制御用電源（２０ａ）とを電気的に分離した状態で用いることを特徴とする発電制御方法。
【発明の詳細な説明】
【０００１】
【発明の属する技術分野】
本発明は、発電制御方法に関し、特に、界磁制御型の交流発電機の回転数検出コイルを界磁制御用電源と兼用とし、交流出力と界磁制御用電源とを電気的に分離させ、界磁制御時のＰＷＭノイズによる誤作動を防止するための新規な改良に関する。
【０００２】
【従来の技術】
従来、用いられていたこの種の発電制御方法としては、社内で製作されていたため、その構成を示す特許文献及び非特許文献等を開示していないが、図２に示す汎用品の構成を挙げることができる。
すなわち、図２において符号１で示されるものは界磁制御型の交流発電機であり、この交流発電機１には電源装置２が接続されている。
【０００３】
前記交流発電機１の３相出力コイル３には、交流出力３ａを整流するための３相全波整流器４が接続され、出力ライン５を介して＋１２０Ｖと−１２０Ｖの電源６が得られるように構成されている。
前記電源６は電圧検出回路７及びアンプ８に入力され、この電圧検出回路７からの検出値７ａは前記アンプ８に接続された界磁制御回路９に入力されている。
【０００４】
前記アンプ８を経た前記界磁制御回路９からの界磁制御信号９ａは、電流検出回路１０で電流値１０ａが検出され、この電流値１０ａが界磁制御回路９に帰還されてこの界磁制御回路９が帰還制御される。
前記電流検出回路１０を経た前記界磁制御信号９ａは、前記電源６に接続されて電源を得た界磁制御コイル１１に供給され、界磁が制御されるように構成されている。
【０００５】
前記３相出力コイル３の近傍に配設された回転数検出コイル２０からの回転数２０ａは、パルストランス２１を介して周波数検出回路２２に入力され、この周波数検出回路２２からのパルス信号２２ａは直接出力されるのとは別に前記界磁制御回路９に入力されて界磁制御に用いられる。
従って、前記交流発電機１は、回転数検出コイル２０から得られた回転数２０ａに基づくパルス信号２２ａによって界磁制御回路９が制御され、界磁制御信号９ａが界磁制御コイル１１に印加されて界磁が制御されることにより交流発電機１の回転速度すなわち発電量が制御される。
【０００６】
【発明が解決しようとする課題】
従来の発電制御方法は、以上のように構成されているため、次のような課題が存在していた。
すなわち、界磁制御用コイルを制御するための電源を交流発電機の出力側から得ていたため、界磁制御電源と発電機の出力とが共通であり、界磁制御時に発生するＰＷＭ（周知のパルス幅変調）ノイズが界磁制御コイル側に伝導し、界磁の誤作動を引起すことがあった。
【０００７】
本発明は、以上のような課題を解決するためになされたもので、特に、界磁制御型の交流発電機の回転数検出コイルを界磁制御用電源と兼用とし、交流出力と界磁制御用電源とを電気的に分離させ、界磁制御時のＰＷＭノイズによる誤作動を防止するようにした発電制御方法を提供することを目的とする。
【０００８】
【課題を解決するための手段】
本発明による発電制御方法は、界磁制御型の交流発電機に設けられた界磁制御コイル及び回転数検出コイルを用いて前記交流発電機の発電制御を行うようにした発電制御方法において、前記回転数検出コイルを界磁制御用電源と兼用とし、前記交流発電機の交流出力と前記界磁制御用電源とを電気的に分離した状態で用いる方法である。
【０００９】
【発明の実施の形態】
以下、図面と共に本発明による発電制御方法の好適な実施の形態について説明する。尚、従来例と同一又は同等部分には同一符号を用いて説明する。
図１において符号１で示されるものは界磁制御型の交流発電機であり、この交流発電機１には電源装置２が接続されている。
【００１０】
前記交流発電機１の３相出力コイル３には、交流出力３ａを整流するための３相全波整流器４が接続され、出力ライン５を介して＋１２０Ｖと−１２０Ｖの電源６が得られるように構成されている。
前記電源６は電圧検出回路７に入力され、この電圧検出回路７からの検出値７ａは前記アンプ８に接続された界磁制御回路９に入力されている。
【００１１】
前記アンプ８を経た前記界磁制御回路９からの界磁制御信号９ａは、電流検出回路１０で電流値１０ａが検出され、この電流値１０ａが界磁制御回路９に帰還されてこの界磁制御回路９が帰還制御される。
前記電流検出回路１０を経た前記界磁制御信号９ａは、前記３相出力コイル３の近傍に配設された界磁制御コイル１１に接続されている。
【００１２】
前記界磁制御コイル１１は、従来のように交流出力３ａ側に接続されているのではなく、前記３相出力コイル３の近傍に設けられた回転数検出コイル２０（すなわち、界磁制御用電源２０ａを兼用とし、ＡＣ１１５Ｖ相当の出力が得られるように構成されている）に接続されている。
【００１３】
前記回転数検出コイル２０は、整流回路４０及びパルストランス２１に接続され、この回転数検出コイル２０からの界磁制御用電源２０ａは整流回路４０で整流されて前記アンプ８に入力されている。
また、前記界磁制御用電源２０ａはパルストランス２１を介して周波数検出回路２２に入力され、この周波数検出回路２２からのパルス信号２２ａは直接出力されるのとは別に前記界磁制御回路９に入力されて界磁制御に用いられる。
【００１４】
従って、前記交流発電機１は、回転数検出コイル２０から得られた回転数に基づくパルス信号２２ａによって界磁制御回路９が制御され、界磁制御信号９ａが界磁制御コイル１１に印加されて界磁が制御されることにより交流発電機１の回転速度すなわち発電量が制御される。
前述の場合、界磁制御コイル１１と回転数検出コイル２０のグランドが共通化されてマイナス電源による界磁制御で構成され、かつ、界磁制御コイル１１の電源すなわち界磁制御用電源が交流出力３ａとは電気的に完全に分離されている。
【００１５】
【発明の効果】
本発明による発電制御方法は、以上のように構成されているため、次のような効果を得ることができる。
すなわち、界磁制御コイルに供給する界磁制御用電源を交流発電機の交流出力とは完全に分離し、回転数検出コイルから得ているため、界磁制御時のＰＷＭノイズの伝導を抑えて誤作動を防止することができ、安定した界磁制御が得られる。
【図面の簡単な説明】
【図１】本発明による発電制御方法を示すブロック図である。
【図２】従来の発電制御方法を示すブロック図である。
【符号の説明】
１    交流発電機
３ａ    交流出力
１１    界磁制御コイル
２０    回転数検出コイル
２０ａ    界磁制御用電源
【図１】
2004222424.tif 000003
【図２】
2004222424.tif 000004